(57)【特許請求の範囲】
【請求項１】
筐体と、前記筐体を取付ける取付け部材を備え、前記筐体と前記取付け部材とを重ね合せて取付ける筐体取付け構造において、
前記筐体を前記取付け部材に対して所定位置に取付けた状態で保持する固定部材を備え、
前記固定部材は、前記筐体と前記取付け部材とを所定位置で重ね合わせた状態で、前記筐体から前記取付け部材側に向かって抜き差し可能に装着されることを特徴とする筐体取付け構造。
【請求項２】
前記固定部材は、一端側にテーパ状を含み、前記固定部材の他端側の幅は前記固定部材の中央部の幅よりも狭く形成され、
前記筐体の背面側から前記取付け部材の正面側向かって抜き差し可能に装着されることを特徴とする請求項１に記載の筐体取付け構造。
【請求項３】
筐体と、前記筐体を取付ける取付け部材を備え、前記筐体の背面側の第１取付け部と前記取付け部材の正面側の第２取付け部とを重ね合せてスライドさせることで、前記筐体を前記取付け部材に取付ける筐体取付け構造において、
前記第１取付け部は、スライド方向に沿った両側端部に前記第２取付け部と係合する第１係合部を備え、
前記第２取付け部は、スライド方向に沿った両側端部に前記第１取付け部と係合する第２係合部を備え、
前記第１係合部と前記第２係合部とは、それぞれ両側の形状が非対称に形成され、
前記第１取付け部と前記第２取付け部とを重ね合わせて配置したときに、所定の範囲で対向しない位置に設けられ、
前記第１取付け部と前記第２取付け部とを重ね合わせた後にスライドさせたときに、所定の範囲外の位置では少なくとも前記第１係合部の一部と前記第２係合部の一部とが重なり合うように配置されることを特徴とする筐体取付け構造。
【請求項４】
前記筐体を前記取付け部材に対して所定位置に取付けた状態で保持する固定部材を備えることを特徴とする請求項３に記載の筐体取付け構造。
【請求項５】
前記第１取付部の下端部には、前記第２取付け部の下端部側の前記第２係合部と当接するストッパ部が設けられ、
前記ストッパ部に前記第２係合部が当接した状態で、前記第１係合部の一部と前記第２係合部の一部とが重なり合うように配置されることを特徴とする請求項４に記載の筐体取付け構造。
【発明の詳細な説明】
【技術分野】
【０００１】
本発明は、筐体取付け構造に係り、特に、タブレット型コンピュータや操作パネル等のポータブル機器を取付ける筐体取付け構造に関する。
【背景技術】
【０００２】
従来、操作パネル等を壁などに固定する際に、取付具を壁などに取付けて、操作パネル等を取付具に固定するようにした操作パネル取付け構造が知られている。
【０００３】
従来技術として、例えば、タブレット型コンピュータを支持するためのタブレット型コンピュータ用支持ホルダであって、タブレット型コンピュータを背面から支持する背面支持部材と、コンピュータの上下両側部を抱持する抱持部材と、コンピュータの左右両側部を支持する支持部材とを備え、コンピュータを支持固定するようにしたものが提案されている（特許文献１を参照）。
【０００４】
また、その他の技術として、電子機器を受け止める載置部を備えた電子機器保持具であって、載置部の構成として、複数に分割形成されて幅方向の寸法を可変した一対の抱持部を備えて、電子機器が載置される開口部の幅寸法を可変とするようにしたものが提案されている（特許文献２を参照）。
【先行技術文献】
【特許文献】
【０００５】
【特許文献１】特開２０１２−２２６４１９号公報
【特許文献２】特開２０１２−１２１５４１号公報
【発明の概要】
【発明が解決しようとする課題】
【０００６】
しかしながら、上述した特許文献２のように、タブレット型コンピュータや電子機器等のポータブル機器を単に挟み込むだけで装着するようにした構成では、容易にポータブル機器を取り外すことができるので、使用時に簡単に落下したり、盗難に遭いやすいという問題があった。
【０００７】
また、特許文献１のように、タブレット型コンピュータ用支持ホルダからコンピュータが容易に取り外せないように施錠部材により抱持部材の動きを規制するようにした構成であっても、ホルダごとコンピュータを持ち去られてしまう虞があるという問題があった。
【０００８】
本発明は、上記従来の問題点に鑑みてなされたものであって、ポータブル機器の使用時に簡単に落下することがなく、盗難に遭いにくい筐体取付け構造を提供することを目的とする。
【課題を解決するための手段】
【０００９】
上述した課題を解決するための本発明に係る筐体取付け構造は、次の通りである。
【００１０】
本発明は、筐体と、前記筐体を取付ける取付け部材を備え、前記筐体と前記取付け部材とを重ね合せて取付ける筐体取付け構造において、前記筐体を前記取付け部材に対して所定位置に取付けた状態で保持する固定部材（例えば、挿入具）を備えることを特徴とするものである。
【００１１】
なお、本発明において、「筐体」とは、コンピュータ等操作パネルやとブレット等のポータブル機器の筐体、およびポータブル機器等を保持する保持部材として機能する筐体を含むものとする。
【００１２】
また、本発明は、前記固定部材を、前記筐体と前記取付け部材とを所定位置で重ね合わせた状態で抜き差し可能に装着することが好ましい。
【００１３】
また、本発明は、筐体と、前記筐体を取付ける取付け部材を備え、前記筐体の背面側の第１取付け部と前記取付け部材の正面側の第２取付け部とを重ね合せてスライドさせることで、前記筐体を前記取付け部材に取付ける筐体取付け構造において、前記第１取付け部の構成として、スライド方向に沿った両側端部に前記第２取付け部と係合する第１係合部を備え、前記第２取付け部の構成として、スライド方向に沿った両側端部に前記第１取付け部と係合する第２係合部を備え、前記第１係合部と前記第２係合部とを、前記第１取付け部と前記第２取付け部とを重ね合わせて配置したときに、所定の範囲で対向しない位置に設け、前記第１取付け部と前記第２取付け部とを重ね合わせた後にスライドさせたときに、所定の範囲外の位置では少なくとも前記第１係合部の一部と前記第２係合部の一部とが重なり合うように配置することを特徴とするものである。
【００１４】
また、本発明は、前記第１係合部および前記第２係合部を、それぞれ両側端部の形状が非対称に形成することが好ましい。
【００１５】
また、本発明は、前記筐体を前記取付け部材に対して所定位置に取付けた状態で保持する固定部材を備えることが好ましい。
【００１６】
また、本発明は、前記第１取付け部の下端部には、前記第２取付け部の下端部側の前記第２係合部と当接するストッパ部を設け、前記ストッパ部に前記第２係合部が当接した状態で、前記第１係合部の一部と前記第２係合部の一部とを重なり合うように配置することが好ましい。
【発明の効果】
【００１７】
本発明の筐体取付け構造によれば、筐体と、前記筐体を取付ける取付け部材を備え、前記筐体の背面側の第１取付け部と前記取付け部材の正面側の第２取付け部とを重ね合せてスライドさせることで、前記筐体を前記取付け部材に取付ける筐体取付け構造において、前記筐体を前記取付け部材に対して所定位置に取付けた状態で保持する固定部材を備え、固定部材を外さなければ筐体を取り外すことができないようにすることで、ポータブル機器の使用時に簡単に落下することがなく、且つ、盗難に遭いにくい筐体取付け構造を提供することができる。
【００１８】
また、本発明の筐体取付け構造によれば、筐体と、前記筐体を取付ける取付け部材を備え、前記筐体の背面側の第１取付け部と前記取付け部材の正面側の第２取付け部とを重ね合せてスライドさせることで、前記筐体を前記取付け部材に取付ける筐体取付け構造において、前記第１取付け部の構成として、スライド方向に沿った両側端部に前記第２取付け部と係合する第１係合部を備え、前記第２取付け部の構成として、スライド方向に沿った両側端部に前記第１取付け部と係合する第２係合部を備え、前記第１係合部と前記第２係合部を、前記第１取付け部と前記第２取付け部とを重ね合わせて配置したときに、所定の範囲で対向しない位置に設け、前記第１取付け部と前記第２取付け部とを重ね合わせた後にスライドさせたときに、所定の範囲外の位置では少なくとも前記第１係合部と前記第２係合部の一部が重なり合うように配置することで、ポータブル機器を簡単に取付けることができ、且つ、所定の範囲内の位置で筐体を着脱可能に構成したので、使用時に簡単に落下することがなく、盗難に遭いにくい筐体取付け構造を提供することができる。
【図面の簡単な説明】
【００１９】
【図１】本発明の実施形態に係る筐体取付け構造の全体の構成を示す説明図である。
【図２】前記筐体取付け構造の全体の構成を示す側面視による説明図である。
【図３】前記筐体取付け構造の構成を示す分解図である。
【図４】前記筐体取付け構造を構成する筐体の構成を示す説明図である。
【図５】前記筐体取付け構造を構成する取付け部材の構成を示す説明図である。
【図６】前記筐体を前記取付け部材に保持する固定部材の構成を示す説明図である。
【図７】前記筐体を前記取付け部材に取付けるときの取付け位置を示す説明図である。
【図８】前記筐体を前記取付け部材に取付けた状態を示す説明図である。
【図９】前記筐体取付け構造において取付け部材に対して筐体を引き上げ過ぎた状態を示す説明図である。
【発明を実施するための形態】
【００２０】
以下、本発明の筐体取付け構造を実施するための形態について図面を参照して詳細に説明する。
図１は本発明を実施する形態の一例であって、本発明の実施形態に係る筐体取付け構造の全体の構成を示す説明図、図２は前記筐体取付け構造の全体の構成を示す側面視による説明図、図３は前記筐体取付け構造の構成を示す分解図、図４は前記筐体取付け構造を構成する筐体の構成を示す説明図、図５は前記筐体取付け構造を構成する取付け部材の構成を示す説明図、図６は前記筐体を前記取付け部材に保持する固定部材の構成を示す説明図、図７は前記筐体を前記取付け部材に取付けるときの取付け位置を示す説明図、図８は前記筐体を前記取付け部材に取付けた状態を示す説明図である。
【００２１】
本実施形態に係る筐体取付け構造１は、図１，図２に示すように、タブレット型コンピュータ（以下、「ポータブル機器」と称する。）２を保持する筐体３と、筐体３を取付ける取付け部材５を備え、筐体３を介してポータブル機器２を取付け部材５に取付ける筐体取付け構造において、筐体３を取付け部材５に対して所定位置に取付けた状態で保持する固定部材６を備えることを特徴とするものである。
【００２２】
この筐体取付け構造１は、図３に示すように、筐体３の背面側の取付け部材取付け部（第１取付け部）３１と取付け部材５の正面側の筐体取付け部（第２取付け部）５１とを重ね合せて、筐体３を下方にスライドさせることで、筐体３を取付け部材５に取付けるように構成されている。
【００２３】
筐体３の上部には、ポータブル機器２を把持する把持部材４が設けられている。
【００２４】
把持部材４は、図３，図４に示すように、ポータブル機器２を把持する把持部４ａと、把持部４ａの位置を調整する調整部４ｂとを備えている。調整部４ｂには、把持部材４の上下方向への移動をガイドする長穴４ｃが２列平行に形成されている。把持部材４は取付け部材（ビス）４ｄにより筐体３に固定される。
【００２５】
筐体３は、正面側には、図２に示すように、ポータブル機器２が載置されるポータブル機器載置部３ａが設けられている。また、背面側には、図４に示すように、把持部材４が取付けられる把持部材ガイド部３２と、取付け部材５に取付けられる取付け部材取付け部３１が設けられている。
【００２６】
把持部材ガイド部３２は、把持部材４の調整部４ｂの幅寸法と略同様の幅寸法で凹んで形成され、把持部材４の上下方向への移動をガイドするように構成されている。
【００２７】
取付け部材取付け部３１は、矩形状に凹んで形成され、スライド方向（図中の上下方向）に対して垂直の幅方向（図中の左右方向）の両側端部３１ａ，３１ｂには、第１係合部３１ａ１，３１ａ２，３１ａ３，３１ｂ１，３１ｂ２，３１ｂ３が内側に向かって突設されている。
【００２８】
具体的には、取付け部材取付け部３１の一方の側端部３１ａには、第１係合部３１ａ１，３１ａ２，３１ａ３と、隣接して第１凹部３１ａ４，３１ａ５が形成されている。
【００２９】
取付け部材取付け部３１の他方の側端部３１ｂには、第１係合部３１ｂ１，３１ｂ２，３１ｂ３と、隣接して第１凹部３１ｂ４，３１ｂ５が、第１係合部３１ａ１，３１ａ２，３１ａ３、第１凹部３１ａ４，３１ａ５と非対称に形成されている。
【００３０】
取付け部材取付け部３１の側端部３１ａ，３１ｂには、取付けられる取付け部材５の上側の一部と当接して位置決めするストッパ３１ｃが形成されている。また、側端部３１ａ，３１ｂの下部には、取付けられる取付け部材５の下側の一部と当接して脱落を防止するストッパ３１ｄが形成されている。
【００３１】
また、取付け部材取付け部３１の下部寄りには、筐体３を取付け部材５に対して位置決めする固定部材６が挿入される取付け穴３３が形成されている。
【００３２】
取付け部材５は、図５に示すように、正面側に筐体３が取付けられる筐体取付け部５１が設けられている。取付け部材５自体は、ポータブル機器２を使用する場所（例えば、使用する室内の壁面）に固定されたり、ポータブル機器２を移動して使用可能なように移動可能なスタンド等に取付けられる。
【００３３】
筐体取付け部５１は、取付け部材取付け部３１が装着可能に矩形状に突出して形成され、スライド方向（図中の上下方向）に対して垂直の幅方向（図中の左右方向）の両側端部５１ａ，５１ｂには、第２係合部５１ａ１，５１ａ２，５１ｂ１，５１ｂ２が外側に向かって突設されている。
【００３４】
具体的には、取付け部材付け部３１の側端部３１ａに対応する側端部５１ａには、第２係合部５１ａ１，５１ａ２と、隣接して第２凹部５１ａ３，５１ａ４が形成されている。
【００３５】
取付け部材取付け部３１の側端部３１ｂに対応する側端部５１ｂには、第２係合部５１ｂ１，５１ｂ２と、隣接して第２凹部５１ｂ３，５１ｂ４が、第２係合部５１ａ１，５１ａ２、第２凹部５１ａ３，５１ａ４と非対称に形成されている。
【００３６】
固定部材６は、図６に示すように、樹脂部材により構成され、一端部６ａが先細りのテーパ状に形成され、他端部６ｂが開口形成されたくさび状の固定部材である。他端部６ｂには、開口部を挟んでツマミ部６ｂ１，６ｂ１が突出形成されている。
【００３７】
また、固定部材６は、中央部付近６ｃが太くなっており、図２，図３に示すように、取付け部材取付け部３１の取付け穴３３に挿入した際に、脱落しないように、ツマミ部６ｂ１とともにストッパとして機能している。
【００３８】
次に、本実施形態の筐体取付け構造１において、筐体３を取付け部材５への取付ける操作について図面を参照して説明する。
図７は本実施形態の筐体取付け構造における筐体を取付け部材に取付けるときの取付け位置を示す説明図、図８は前記筐体を前記取付け部材に取付けた状態を示す説明図である。
【００３９】
筐体取付け構造１において、筐体３を取付け部材５に取付ける場合は、図３に示すように、筐体３の取付け部材取付け部３１と取付け部材５の筐体取付け部５１とを重ね合せて取付ける。
【００４０】
ここでは、筐体３の取付け部材取付け部３１の一方の側端部３１ａと取付け部材５の筐体取付け部５１の一方の側端部５１ａの取付け状態を例にあげて説明する。
【００４１】
まず、筐体３の取付け部材取付け部３１を取付け部材５の筐体取付け部５１に取付ける場合は、図７に示すように、筐体３側の第１係合部３１ａ１，３１ａ２，３１ａ３と取付け部材５側の第２係合部５１ａ１，５１ａ２とが干渉しないように、筐体３側の第１凹部３１ａ４，３１ａ５と取付け部材５側の第２係合部５１ａ１，５１ａ２とが対向する位置で重ね合わせる。
【００４２】
そして、筐体３の取付け部材取付け部３１と取付け部材５の筐体取付け部５１とを重ね合せた状態で、筐体３を取付け部材５に対して下方にスライドさせることで、図８に示すように、筐体３側の第１係合部３１ａ１，３１ａ２と取付け部材５側の第２係合部５１ａ１，５１ａ２とが重なり合う状態となる。このとき、筐体３側のストッパ３１ｃが取付け部材５の筐体取付け部５１の上部に当接するまでスライドすることで、筐体３は取付け部材５に取付けられた状態となる。
【００４３】
この状態で、図２，図３に示すように、筐体３の下側から取付け部材取付け部３１の取付け穴３３に固定部材６を挿入して筐体３と取付け部材５とを固定する。これにより、筐体３は取付け部材５に確実に取付けられた状態となる。
【００４４】
次に、本実施形態の筐体取付け構造１において取付け部材５に取付けられた筐体３を取り外す操作について図面を参照して説明する。
図９は本実施形態の筐体取付け構造において取付け部材に対して筐体を引き上げ過ぎた状態を示す説明図である。
【００４５】
筐体取付け構造１において、取付け部材５に取付けられた筐体３を取り外す場合は、まず、図２に示すように、筐体３の下側より装着した固定部材６を筐体３から取り外す。
【００４６】
そして、図７に示すように、筐体３側の第１係合部３１ａ１，３１ａ２，３１ａ３と取付け部材５側の第２係合部５１ａ１，５１ａ２とが干渉しないように、取付け部材５側の第２係合部５１ａ１，５１ａ２が筐体３側の第１凹部３１ａ４，３１ａ５と対向する位置にくるように筐体３を上方にスライドさせる。
【００４７】
このように取付け部材５に対して筐体３を配置することで、取付け部材５から筐体３を取り外すことができる。
【００４８】
なお、筐体３を取付け部材５に対して上方にスライドし過ぎた場合は、図９に示すように、筐体３の側端部３１ａの下部のストッパ３１ｄに取付け部材５の第２係合部５１ａ２が当接するため、筐体３の下部から取付け部材５を取り外すことができない。また、筐体３が取付け部材５から取り外せる所定位置を越えると、筐体３側の第１係合部３１ａ２，３１ａ３の一部が取付け部材５側の第２係合部５１ａ１，５１ａ２と重なり合う状態になってしまうため、筐体３を取付け部材５から取り外すことができなくなる。
【００４９】
したがって、筐体３を取付け部材５から取り外す場合は、取付け部材５に対して筐体３を所定位置に正確に配置する必要がある。
【００５０】
以上のように構成したので、本実施形態によれば、ポータブル機器２を保持する筐体３と、筐体３を取付ける取付け部材５を備え、筐体３の背面側の取付け部材取付け部３１と取付け部材５の正面側の筐体取付け部５１とを重ね合せて取付ける筐体取付け構造１において、筐体３を取付け部材５に対して所定位置に取付けた状態で保持する固定部材６を備えることで、筐体３を簡単に取付け部材５に取付けることができ、且つ、固定部材６を外さなければ筐体３を取付け部材５から取り外すことができないようにしたので、ポータブル機器２の使用する際には簡単に落下することがなく、且つ、目に付きにくい箇所で固定部材６を着脱するようにしたので、盗難に遭いにくい筐体取付け構造１を実現できる。
【００５１】
本実施形態では、固定部材６を筐体３の下部の内側で着脱するように構成したので、通常ポータブル機器２を操作する際には見えにくく、固定部材６の存在と機能を知らなければ、筐体３を取付け部材５から簡単に取り外すことはできない。
【００５２】
また、本実施形態の固定部材６を採用することで、取付け部材５に対して筐体３が適切な位置に設置されていることを簡単に認識できる。さらに、特に工具等を用いることなく簡単に固定部材６を抜き差しできるので、筐体３を取付け／取り外す時の作業性の向上を図ることができる。
【００５３】
なお、本実施形態では、固定部材６を図６に示すようなくさび状に構成しているが、本発明は、固定部材６の形状に限定されるものではなく、取付け穴３３に挿入でき、固定可能な形状であれば、例えば、一端部６ａが取付け穴３３よりも小さい矩形状で先細りのテーパ状に形成されたものや、先端部が細く中央部付近が取付け穴３３よりも太い楕円状断面の外形を有するものであってもよい。
【００５４】
また、本実施形態では、筐体３の取付け部材取付け部３１と取付け部材５の筐体取付け部５１とを重ね合せてスライドさせることで、筐体３を取付け部材５に取付ける構造として、取付け部材取付け部３１のスライド方向に沿った両側端部３１ａ，３１ｂに、筐体取付け部５１と係合する第１係合部３１ａ１，３１ａ２，３１ａ３，３１ｂ１，３１ｂ２，３１ｂ３を備え、筐体取付け部５１のスライド方向に沿った両側端部５１ａ，５１ｂに、取付け部材取付け部３１と係合する第２係合部５１ａ１，５１ａ２，５１ｂ１，５１ｂ２を備え、筐体３と取付け部材５とを重ね合わせて配置したときに、所定の範囲で第１係合部と第２係合部とが対向しないように配置したので、筐体３を取付け部材５に簡単に取付けることができ、且つ、筐体３と取付け部材５とを重ね合わせた後にスライドさせたときに、所定の範囲外の位置では少なくとも第１係合部の一部と第２係合部の一部とが重なり合うように配置したので、ポータブル機器２を使用する際に簡単に落下することがなく、不用意に外れることのない筐体取付け構造を提供することができる。
【００５５】
また、本実施形態では、筐体３の取付け部材取付け部３１の一方の側端部３１ａの第１係合部３１ａ１，３１ａ２，３１ａ３、第１凹部３１ａ４，３１ａ５と、他方の側端部３１ｂの第１係合部３１ｂ１，３１ｂ２，３１ｂ３、第１凹部３１ｂ４，３１ｂ５とを非対称に形成するとともに、取付け部材５の筐体取付け部５１の一方の側端部５１ａの第２係合部５１ａ１，５１ａ２、第２凹部５１ａ３，５１ａ４と、他方の側端部５１ｂの第２係合部５１ｂ１，５１ｂ２、第２凹部５１ｂ３，５１ｂ４を非対称に形成することで、取付け部材５に対して筐体３を所定の向きでしか装着できないようにしたので、筐体３を誤った向きで装着することを防止することができる。
【００５６】
さらに、本実施形態では、筐体３の取付け部材取付け部３１の上部寄りにストッパ３１ｃを設け、下部寄りにストッパ３１ｄを設けているので、筐体３を取付け部材５に対して確実に設置できるとともに、筐体３の下部から取付け部材５を取り外すことを防止することができる。
【００５７】
さらに、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【産業上の利用可能性】
【００５８】
本発明の筐体取付け構造は、ポータブル機器を所定の位置にセットして使用する場合に利用でき、例えば、壁などにポータブル機器をセットする場合や、各種アームにセットする場合、ポータブル機器を使用する移動機器、医療用、介護用の移動機器、ベッド等にポータブル機器をセットする場合等に利用することができる。
【符号の説明】
【００５９】
１  筐体取付け構造
２  ポータブル機器
３  筐体
４  把持部材
５  取付け部材
６  固定部材
３１  取付け部材取付け部（第１取付け部）
３１ａ，３１ｂ  側端部
３１ａ１，３１ａ２，３１ａ３，３１ｂ１，３１ｂ２，３１ｂ３  第１係合部
３１ａ４，３１ａ５，３１ｂ４，３１ｂ５  第１凹部
３１ｃ，３１ｄ  ストッパ
５１  筐体取付け部（第２取付け部）
５１ａ，５１ｂ  側端部
５１ａ１，５１ａ２，５１ｂ１，５１ｂ２  第２係合部
５１ａ３，５１ａ４，５１ｂ３，５１ｂ４  第２凹部
【図１】
0006535227.tif 000002
【図２】
0006535227.tif 000003
【図３】
0006535227.tif 000004
【図４】
0006535227.tif 000005
【図５】
0006535227.tif 000006
【図６】
0006535227.tif 000007
【図７】
0006535227.tif 000008
【図８】
0006535227.tif 000009
【図９】
0006535227.tif 000010